(57)【要約】      （修正有）【課題】堆肥化の際の攪拌処理をホイールローダで行う場合などに、ホイールローダの操作と同時に液剤散布を行うことを可能とする液剤散布装置の提供。【解決手段】液剤を収容する液剤タンク３２と、バケットに取り付ける散布ノズルユニット３１と、液剤タンク３２と散布ノズルユニット３１を連結する配管３４と、配管３４を通って液剤タンク３２に収容された液剤を散布ノズルユニット３１へ輸送する輸送制御手段３５とからなる。【選択図】図３
2014135924.tif 000002
【特許請求の範囲】
【請求項１】
バケットを備えた重機に装備する為の液剤散布装置であって、液剤を収容する液剤タンクと、前記バケットに取り付ける散布ノズルユニットと、前記液剤タンクと前記散布ノズルユニットを連結する配管と、前記配管を通って前記液剤タンクに収容された液剤を前記散布ノズルユニットへ輸送する輸送制御手段とからなる重機用液剤散布装置
【請求項２】
前記液剤は、堆肥化プロセスを促進する薬剤であることを特徴とする請求項１に記載の基礎補強方法。
【請求項３】
前記液剤は、フルボ酸であることを特徴とする請求項２に記載の基礎補強方法。
【請求項４】
前記バケットを備えた重機は、ホイールローダであることを特徴とする請求項２に記載の基礎補強方法。
【請求項５】
前記輸送制御手段は、ポンプであることを特徴とする請求項１に記載の基礎補強方法。
【請求項６】
前記液剤タンクを前記散布ノズルユニットよりも高い位置に設け、前記輸送制御手段として、前記配管の途中にバルブを設けたことを特徴とする請求項１に記載の基礎補強方法。
【発明の詳細な説明】
【技術分野】
【０００１】
本発明は、堆肥の生産などに利用する重機用液剤散布装置に関する。
【背景技術】
【０００２】
近年の大規模農業化に伴い、家畜糞の量が増大している。野積みなどの不適切な処理を行なってしまうと悪臭や地下水汚染といった公害が発生する。その一方で、家畜糞は公害の原因であると同時に、堆肥化を行えば肥料や土壌改良剤として優れたバイオマス資源でもある。
【０００３】
堆肥化では、動物の排せつ物の他、わら、もみがら、樹皮、その他の動植物質の有機質物を堆積し、撹拌し、腐熟させる。堆肥化の為の発酵には、一定の水分と酸素が必要なので、攪拌処理は均一な品質の堆肥を生産する上で重要である。また、堆肥を撹拌することで微生物を活発化し、分解を促進すると共に温度を高めることができる。
【０００４】
有機質物は堆肥舎に堆積し、そこで切り返しなどで撹拌するが、一定以上の規模では、重機を用いて攪拌処理を行うことになる（特許文献１参照）。この際に、発酵促進剤といった堆肥化プロセスを促進する薬剤を散布しておくと、完熟までの期間を短く出来、品質も向上する。
【先行技術文献】
【特許文献】
【０００５】
【特許文献１】特開２００５−２４０３２８
【発明の概要】
【発明が解決しようとする課題】
【０００６】
発酵促進剤を用いて堆肥を生産する場合、発酵促進剤を散布する作業と、堆肥原料を攪拌する作業は同時に行うことが効率的である。すなわち、攪拌しながら散布を行うと、堆肥原料全体にまんべんなく発酵促進剤を混入することが可能である。
【０００７】
しかしながら、ホイールローダ等の重機を使用して撹拌を行う場合、重機を運転する作業者と、発酵促進剤を散布する作業者とが必要であり、常に二人いなければ攪拌作業を効果的に行うことが出来ない。
【０００８】
そこで、本発明の目的は、一人の作業者であっても重機を操作しつつ、液剤の散布を同時に行うことの可能な重機用液剤散布装置を提供することである。
【課題を解決するための手段】
【０００９】
上記課題を解決するために、本発明の重機用液剤散布装置は、バケットを備えた重機に装備する為の液剤散布装置であって、液剤を収容する液剤タンクと、前記バケットに取り付ける散布ノズルユニットと、前記液剤タンクと前記散布ノズルユニットを連結する配管と、前記配管を通って前記液剤タンクに収容された液剤を前記散布ノズルユニットへ輸送する輸送制御手段とからなる。
【００１０】
このような構成とすることで、堆肥化の際の攪拌処理を重機で行う場合などに、重機の操作と同時に液剤散布を行うことが可能となる。
【００１１】
好ましい実施例では、前記液剤は堆肥化プロセスを促進する薬剤である。これにより、堆肥化作業の効率を向上させることができる。例えば、前記液剤として、フルボ酸を利用できる。フルボ酸は、発酵に必要な期間を短縮するだけでなく、堆肥化の過程で避けられない悪臭の抑制という効果もある。
【００１２】
また、好ましい実施例では、前記バケットを備えた重機として、ホイールローダを利用できる。その他に、バックフォーといった一般的な車両系重機なども利用可能である。
【００１３】
更に、前記輸送制御手段としては、例えば、ポンプを利用することができる。ポンプを用いない安価な実装として、前記液剤タンクを前記散布ノズルユニットよりも高い位置に設け、前記配管の途中に設けられたバルブを前記輸送制御手段とすることもできる。
【発明の効果】
【００１４】
本発明に係わる液剤散布装置を取り付けた重機では、本発明の運転手一人で重機の運転や操作と共に、液剤の散布も同時に行うことができ、作業効率が格段に向上する。
【図面の簡単な説明】
【００１５】
【図１】本発明の実施例１による液剤散布装置を装備したホイールローダの全体図である。
【００１６】
【図２】図１のホイールローダのバケット１３を含む要部拡大図である。
【００１７】
【図３】本発明の実施例２による液剤散布装置を装備したホイールローダの全体図である。
【００１８】
【図４】図３のホイールローダのバケット１３を含む要部拡大図である。
【発明を実施するための形態】
【００１９】
以下、図を参照しながら本発明の実施形態による液剤散布装置を説明する。ここでは、重機としてホイールローダを用いた例を示す。
【実施例１】
【００２０】
図１は、本発明の実施例１による液剤散布装置を装備したホイールローダの全体図である。このホイールローダは、車体１１と、車体の前部に装着されたブーム１２と、このブーム１２の先端に取り付けられたバケット１３と、車体１１を支持しながら回転して車体を走行させる４本のタイヤ１４と、車体１１の上部に搭載されたキャブ１５と、ブーム１２およびバケット１３を駆動するリンク機構１６を備えている。
【００２１】
また、図２は、バケット１３を含む要部拡大図である。液剤散布装置は、バケット１３の上部に設けられた散布ノズルユニット２１と、液剤を収容した液剤タンク２２と、この液剤タンク２２内部の薬剤を吸い込んで輸送するポンプ２３と、散布ノズルユニット２１とポンプ２３を連結する配管２４とを備えている。
【００２２】
図２に示したように、散布ノズルユニット２１は、バケット１３の上縁に着脱可能に固定されたロッド状の部材であり、３つの散布ノズル２１ａ、２１ｂ、２１ｃが長さ方向に均等に配置されている。液剤タンク２２内部の薬剤は、ポンプ２３内部の電動駆動装置(図不示)により、散布ノズルユニット２１へ圧送され、散布ノズル２１ａ、２１ｂ、２１ｃからバケット１３の内部へ霧状に散布される。ホイールローダの運転手は、この電動駆動装置とケーブル２５で接続された手元のコントローラ２５を操作することで電動駆動装置を制御し、散布ノズル２１ａ、２１ｂ、２１ｃからの薬剤散布を自由に行うことが出来る。
【００２３】
この液剤散布装置の典型的な応用例は、堆肥化の際の攪拌処理である。攪拌処理で用いる重機として、この液剤散布装置を装備したホイールローダを利用する。従来は、攪拌と薬剤散布は、別々の作業として行われていたが、本発明の液剤散布装置を装備したホイールローダを用いれば、堆肥化における攪拌と薬剤散布を同時にホイールローダの運転手一人で行うことが出来る。
【００２４】
すなわち、液剤タンク２２には堆肥化プロセスを促進する薬剤を収容しておく。そして、バケット１３を操作して、堆肥舎に堆積されている堆肥原料としての家畜糞などの有機質物を攪拌する。それと同時に、適宜、散布ノズルユニット２１から薬剤をバケット１３内部の堆肥原料へ散布する。そのタイミングや量は、ホイールローダを運転する作業者が、堆肥原料の状態などをみながら調整する。このようにすることで、薬剤を有機質物に均等に混入することができる。
【００２５】
なお、堆肥化プロセスを促進する薬剤として、ここではフルボ酸を用いる。フルボ酸は、発酵に必要な期間を短縮するだけでなく、堆肥化の過程で避けられない悪臭の抑制という効果もある。
【００２６】
また、ここでは液剤散布装置の取付対象としてホイールローダを例に説明したが、バックフォーのような同様の目的の重機にも取り付けて利用可能である。
【実施例２】
【００２７】
図３は、本発明の実施例２による液剤散布装置を装備したホイールローダの全体図である。このホイールローダは、図１に示した実施例１と同じである。
【００２８】
この液剤散布装置は、車体１１のルーフ上部に設けられた薬剤タンク３２と、やはりバケット１３の上部に設けられた散布ノズルユニット３３と、この散布ノズルユニット３３と薬剤タンク３２の底部を連結する配管３４とを備えている。また、配管３４の中程、ホイールローダの運転手の手元付近には、手動開閉バルブ３５が設けられている。
【００２９】
図４に示したように、散布ノズルユニット３１は、やはりバケット１３の上縁に固定されたロッド状の部材で、多数の吐出孔３１ｈが設けられている。薬剤タンク３２が車体１１のルーフ上部に設けられているため、バケット１３が下がっている状態では、薬剤にはその重さによって一定の吐出圧力がかかっている。従って、この状態で手動開閉バルブ３５を開くことで、散布ノズルユニット３３から薬剤を吐出することが出来る。
【００３０】
この実施例２の液剤散布装置では、実施例１のようにポンプやそれに伴う電装系部品が不要となる。従って、低コストで簡易に利用できるという特徴がある。
【産業上の利用可能性】
【００３１】
本発明に係わる重機用液剤散布装置を重機に取り付けることで、堆肥化作業などを行う際に、液剤散布と重機の操作を同時に行うことができ、作業者の人数を減らしコストの削減を計れる。
【００３２】
なお、ここで用いる重機という用語は、ホイールローダやバックフォーといった一般的な車両系重機だけでなく、産業機械や農業用機械の総称として用いる。例えば、スクープ攪拌機やロータリー攪拌機といった作業者が乗り組まないタイプの農業用機械へ取り付けて、堆肥化の攪拌処理を行うこともできる。
【００３３】
更に、上記では、液剤として堆肥化プロセスを促進する薬剤を散布する例に説明したが、液剤としてはこれに限らない。例えば、堆肥原料の水分が不足気味の場合は、液剤として普通の水の散布を行なっても良い。
【符号の説明】
【００３４】
１１ 車体
１２ ブーム
１３ バケット
１４ タイヤ
１５ キャブ
１６ リンク機構
２１ 散布ノズルユニット
２１ａ、２１ｂ、２１ｃ 散布ノズル
２２ 液剤タンク
２３ ポンプ
２４ 配管
２５ ケーブル
２５ コントローラ
３１ 散布ノズルユニット
３１ｈ 吐出孔
３２ 薬剤タンク
３３ 散布ノズルユニット
３４ 配管
３５ 手動開閉バルブ
【図１】
2014135924.tif 000003
【図２】
2014135924.tif 000004
【図３】
2014135924.tif 000005
【図４】
2014135924.tif 000006